(57)【特許請求の範囲】
【請求項１】
ファクシミリ送信すべき原稿内で所定の登録文字を検索し、発見された前記登録文字の使用率を特定する文字使用率特定部と、
前記原稿の画像において、発見された前記登録文字に対して、前記使用率に基づいてその登録文字に対して鮮鋭化処理を行うか否かを判定し、前記鮮鋭化処理を行うと判定した登録文字に対して前記鮮鋭化処理を実行する鮮鋭化処理部と、
前記鮮鋭化処理部による鮮鋭化処理が実行された後の前記原稿の画像をファクシミリ送信するファクシミリ送信処理部と、
を備えることを特徴とするファクシミリ装置。
【請求項２】
前記鮮鋭化処理部は、発見された前記登録文字のそれぞれについて、所定の複数の鮮鋭化処理から前記使用率に応じた鮮鋭化処理を選択し、選択した前記鮮鋭化処理を実行することを特徴とする請求項１記載のファクシミリ装置。
【請求項３】
前記鮮鋭化処理部は、前記使用率が所定の第１の閾値以上であって所定の第２の閾値未満である前記登録文字に対して第１鮮鋭化処理を実行し、前記使用率が前記第２の閾値以上である前記登録文字に対して第２鮮鋭化処理を実行し、前記使用率が前記第１の閾値未満である登録文字に対しては鮮鋭化処理を行わないことを特徴とする請求項２記載のファクシミリ装置。
【請求項４】
前記第１の閾値および前記第２の閾値は、前記登録文字ごとに設定されていることを特徴とする請求項３記載のファクシミリ装置。
【請求項５】
前記第１鮮鋭化処理は、４近傍鮮鋭化フィルターによる鮮鋭化処理であり、
前記第２鮮鋭化処理は、８近傍鮮鋭化フィルターによる鮮鋭化処理であること、
を特徴とする請求項３記載のファクシミリ装置。
【請求項６】
前記文字使用率特定部は、前記原稿の各ページについて、１ページ内の全文字数と前記登録文字の文字数との比率で前記使用率を特定することを特徴とする請求項１から請求項５のうちのいずれか１項記載のファクシミリ装置。
【請求項７】
前記登録文字を含む登録文字データを記憶する記憶装置と、
ユーザーにより指定された文字を前記登録文字データに追加する登録処理部とをさらに備え、
前記文字使用率特定部は、前記登録文字データに登録されている前記登録文字を前記原稿内で検索すること、
を特徴とする請求項１から請求項６のうちのいずれか１項記載のファクシミリ装置。
【請求項８】
前記ファクシミリ送信処理部によるファクシミリ送信の前に、前記鮮鋭化処理後の前記原稿の画像を所定の表示装置にプレビュー表示させるプレビュー処理部をさらに備えることを特徴とする請求項１から請求項７のうちのいずれか１項記載のファクシミリ装置。
【発明の詳細な説明】
【技術分野】
【０００１】
本発明は、ファクシミリ装置に関するものである。
【背景技術】
【０００２】
ファクシミリ送信では、伝送される文字原稿の画質が低く、受信側で文字が潰れてしまうことがある。
【０００３】
このため、例えば特許文献１に記載の技術を応用して、ファクシミリの受信側で、文字の潰れを検出し、潰れた文字を補正することが考えられる。
【先行技術文献】
【特許文献】
【０００４】
【特許文献１】特開平９−９１３７９号公報
【発明の概要】
【発明が解決しようとする課題】
【０００５】
ファクシミリの受信側の機器が上述のような処理を行えるとは限らないので、ファクシミリの送信側の機器で文字が潰れないように鮮鋭化処理を行ってからファクシミリ送信することが望ましい。しかしながら、鮮鋭化処理により元の原稿の画像を加工することになるので、原稿の画像を忠実に伝送するという観点では、鮮鋭化処理は必要最小限とすることが好ましい。
【０００６】
文字原稿の場合、潰れている文字の割合などによって受信側での文章の認識度合いが変わってくる。例えば、文章のうちの１文字だけ読み取れなくても文章の意味を認識できる場合が多い。したがって、潰れている文字の割合などによっては鮮鋭化処理を行わなくても受信側で、受信した文字原稿の画像からの文章の認識に支障が生じないことがある。
【０００７】
本発明は、上記の問題に鑑みてなされたものであり、必要最小限の鮮鋭化処理を行って、ファクシミリの受信側での原稿画像からの文章の認識に支障が生じないようにすることができるファクシミリ装置を得ることを目的とする。
【課題を解決するための手段】
【０００８】
上記の課題を解決するために、本発明では以下のようにした。
【０００９】
本発明に係るファクシミリ装置は、ファクシミリ送信すべき原稿内で所定の登録文字を検索し、発見された登録文字の使用率を特定する文字使用率特定部と、その原稿の画像において、発見された登録文字に対して、その使用率に基づいてその登録文字に対して鮮鋭化処理を行うか否かを判定し、鮮鋭化処理を行うと判定した登録文字に対して鮮鋭化処理を実行する鮮鋭化処理部と、鮮鋭化処理部による鮮鋭化処理が実行された後の原稿の画像をファクシミリ送信するファクシミリ送信処理部とを備える。
【００１０】
これにより、特定の登録文字についてその使用率に応じて鮮鋭化処理が行われるため、ファクシミリの送信側で必要最小限の鮮鋭化処理が行われる。したがって、必要最小限の鮮鋭化処理を行って、ファクシミリの受信側での原稿画像からの文章の認識に支障が生じないようにすることができる。
【００１１】
また、本発明に係るファクシミリ装置は、上記のファクシミリ装置に加え、次のようにしてもよい。この場合、鮮鋭化処理部は、発見された登録文字のそれぞれについて、所定の複数の鮮鋭化処理からその使用率に応じた鮮鋭化処理を選択し、選択した鮮鋭化処理を実行する。
【００１２】
これにより、使用率に応じて鮮鋭化の強度を調節することができる。
【００１３】
また、本発明に係るファクシミリ装置は、上記のファクシミリ装置のいずれかに加え、次のようにしてもよい。この場合、鮮鋭化処理部は、上述の使用率が所定の第１の閾値以上であって所定の第２の閾値未満である登録文字に対して第１鮮鋭化処理を実行し、上述の使用率が第２の閾値以上である登録文字に対して第２鮮鋭化処理を実行し、使用率が第１の閾値未満である登録文字に対しては鮮鋭化処理を行わない。
【００１４】
また、本発明に係るファクシミリ装置は、上記のファクシミリ装置のいずれかに加え、次のようにしてもよい。この場合、上述の第１および第２の閾値は、登録文字ごとに設定されている。
【００１５】
これにより、登録文字の複雑さに応じて、個別的に、使用率に応じた鮮鋭化の強度を設定することができる。
【００１６】
また、本発明に係るファクシミリ装置は、上記のファクシミリ装置のいずれかに加え、次のようにしてもよい。この場合、第１鮮鋭化処理は、４近傍鮮鋭化フィルターによる鮮鋭化処理であり、第２鮮鋭化処理は、８近傍鮮鋭化フィルターによる鮮鋭化処理である。
【００１７】
また、本発明に係るファクシミリ装置は、上記のファクシミリ装置のいずれかに加え、次のようにしてもよい。この場合、文字使用率特定部は、原稿の各ページについて、１ページ内の全文字数と登録文字の文字数との比率で文字使用率を特定する。
【００１８】
また、本発明に係るファクシミリ装置は、上記のファクシミリ装置のいずれかに加え、次のようにしてもよい。この場合、ファクシミリ装置は、登録文字を含む登録文字データを記憶する記憶装置と、ユーザーにより指定された文字を登録文字データに追加する登録処理部とをさらに備える。そして、文字使用率特定部は、登録文字データに登録されている登録文字を原稿内で検索する。
【００１９】
これにより、ユーザーが登録文字を追加でき、ユーザー所望の文字に対して鮮鋭化処理を行わせることができる。
【００２０】
また、本発明に係るファクシミリ装置は、上記のファクシミリ装置のいずれかに加え、次のようにしてもよい。この場合、ファクシミリ装置は、ファクシミリ送信処理部によるファクシミリ送信の前に、鮮鋭化処理後の原稿の画像を所定の表示装置にプレビュー表示させるプレビュー処理部をさらに備える。
【００２１】
これにより、鮮鋭化処理後の原稿画像を確認してから、ファクシミリ送信を行わせることができる。
【発明の効果】
【００２２】
本発明によれば、ファクシミリ装置において、必要最小限の鮮鋭化処理を行って、ファクシミリの受信側での原稿画像からの文章の認識に支障が生じないようにすることができる。
【図面の簡単な説明】
【００２３】
【図１】図１は、本発明の実施の形態に係るファクシミリ装置の構成を示すブロック図である。
【図２】図２は、図１における登録文字データの一例を示す図である。
【図３】図３は、この実施の形態において使用される４近傍鮮鋭化フィルターおよび８近傍鮮鋭化フィルターの一例を示す図である。
【図４】図４は、図１に示すファクシミリ装置のファクシミリ送信の動作について説明するフローチャートである。
【図５】図５は、図４における鮮鋭化処理について説明するフローチャートである。
【発明を実施するための形態】
【００２４】
以下、図に基づいて本発明の実施の形態を説明する。
【００２５】
図１は、本発明の実施の形態に係るファクシミリ装置１の構成を示すブロック図である。このファクシミリ装置１は、図示せぬホスト装置からの要求または操作パネルに対するユーザー操作による要求に応じてファクシミリ送信を実行するとともに、ファクシミリ受信を行い、受信した画像を印刷したり画像ファイルとして保存したりする。
【００２６】
ファクシミリ装置１は、印刷装置１１、画像読取装置１２、通信装置１３、操作パネル１４、ネットワークインターフェイス１５、演算処理装置１６、および記憶装置１７を備える。
【００２７】
印刷装置１１は、ファクシミリによる受信画像を印刷する内部装置である。画像読取装置１２は、原稿から原稿画像を光学的に読み取り、原稿画像の画像データを生成する内部装置である。例えば、この画像データからファクシミリ送信用画像データ（所定の解像度のビットマップデータ）が生成される。
【００２８】
また、通信装置１３は、ファクシミリ送信用画像データからファクシミリ信号を生成し送信するとともに、ファクシミリ信号を受信し画像データとして出力する内部装置である。通信装置１３は、例えば公衆電話回線に接続され、音響信号であるファクシミリ信号を送受信するモデムである。
【００２９】
また、操作パネル１４は、ファクシミリ装置１の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。
【００３０】
また、ネットワークインターフェイス１５は、図示せぬネットワークに接続され、そのネットワークに接続されたホスト装置とデータ通信を行う回路である。ネットワークインターフェイス１５は、ファクシミリ送信の要求、ファクシミリ受信画像の画像ファイルの要求などを受信するともに、要求された画像ファイルを送信したりする。
【００３１】
また、演算処理装置１６は、図示せぬＣＰＵ（Central Processing Unit）、ＲＯＭ（Read Only Memory）、ＲＡＭ（Random Access Memory）、ＡＳＩＣ（Application Specific Integrated Circuit）などを有するコンピューターであり、記憶装置１７は、各種データを格納可能な装置である。記憶装置１７としては、不揮発性メモリ、ハードディスクドライブなどの不揮発性の大容量記憶媒体が使用される。記憶装置１７には、登録文字データ３１が予め記憶されている。
【００３２】
演算処理装置１６は、ＲＯＭや記憶装置１７などからＲＡＭへプログラムをロードし、そのプログラムをＣＰＵで実行することにより、各種処理部を実現する。この実施の形態では、演算処理装置１６において、制御部２１、文字使用率特定部２２、鮮鋭化処理部２３、およびファクシミリ送信処理部２４が実現される。
【００３３】
制御部２１は、要求に応じて、印刷装置１１、画像読取装置１２などの内部装置を制御して、ファクシミリ送信、ファクシミリ受信などを実行する。
【００３４】
また、制御部２１は、ファクシミリ送信処理部２４によるファクシミリ送信の前に、鮮鋭化処理後の原稿の画像を操作パネル１４や図示せぬホスト装置の表示装置にプレビュー表示させるプレビュー処理部として機能する。
【００３５】
文字使用率特定部２２は、ファクシミリ送信すべき原稿内で所定の登録文字を検索し、発見された登録文字の使用率を特定する。この実施の形態では、文字使用率特定部２２は、記憶装置１７における登録文字データ３１に登録されている登録文字を、ファクシミリ送信すべき原稿内で検索し、発見された登録文字の使用率を特定する。
【００３６】
図２は、図１における登録文字データ３１の一例を示す図である。登録文字データ３１には、登録文字ごとに、登録文字の文字コード、文字使用率の第１閾値、および文字使用率の第２閾値が登録されている。なお、文字使用率の第１閾値および第２閾値は、後述の鮮鋭化処理部２３で使用される。なお、登録文字は、通常、画数の多い漢字とされるが、記号などでもよい。
【００３７】
具体的には、文字使用率特定部２２は、画像読取装置１２により得られる原稿画像データ（ラスターデータ）に対して文字認識処理を行い、原稿画像内の文字を検出し、検出された文字において、所定の登録文字を検索し、発見された登録文字の使用率を特定する。
【００３８】
また、文字使用率特定部２２は、図示せぬホスト装置からのファクシミリ送信要求とともに受信されたラスターデータに対して文字認識処理を行い、原稿画像内の文字を検出し、検出された文字において、所定の登録文字を検索し、発見された登録文字の使用率を特定する。また、文字使用率特定部２２は、図示せぬホスト装置からのファクシミリ送信要求とともに受信された文書データ内の文字コードを検出し、検出された文字において、所定の登録文字を検索し、発見された登録文字の使用率を特定する。
【００３９】
この実施の形態では、文字使用率特定部２２は、原稿の各ページについて、１ページ内の全文字数と登録文字の文字数との比率で文字使用率をページごとに特定する。なお、原稿全体の全文字数と登録文字の文字数との比率で文字使用率を特定するようにしてもよい。
【００４０】
鮮鋭化処理部２３は、その原稿の画像において、発見された登録文字に対して、その使用率に基づいてその登録文字に対して鮮鋭化処理を行うか否かを判定し、鮮鋭化処理を行うと判定した登録文字に対して鮮鋭化処理を実行する。
【００４１】
なお、図示せぬホスト装置からのファクシミリ送信要求とともに文書データが受信された場合には、文書データに対してラスタライズが行われて画像データが生成され、その画像データにおいて、発見された登録文字に対して鮮鋭化処理が上述のように行われる。
【００４２】
この実施の形態では、鮮鋭化処理部２３は、発見された登録文字のそれぞれについて、所定の複数の鮮鋭化処理から、その使用率に応じた鮮鋭化処理を選択する。
【００４３】
また、この実施の形態では、鮮鋭化処理部は、上述の使用率が所定の第１の閾値以上であって所定の第２の閾値未満である登録文字に対して第１鮮鋭化処理を実行し、上述の使用率が第２の閾値以上である登録文字に対して第２鮮鋭化処理を実行し、使用率が第１の閾値未満である登録文字に対しては鮮鋭化処理を行わない。
【００４４】
また、この実施の形態では、その第１および第２の閾値は、登録文字ごとに設定されている。
【００４５】
また、この実施の形態では、第１鮮鋭化処理は、４近傍鮮鋭化フィルターによる鮮鋭化処理であり、第２鮮鋭化処理は、８近傍鮮鋭化フィルターによる鮮鋭化処理である。
【００４６】
図３は、この実施の形態において使用される４近傍鮮鋭化フィルターおよび８近傍鮮鋭化フィルターの一例を示す図である。図３（Ａ）は、注目画素を中心とした４近傍鮮鋭化フィルターのフィルター係数を示す図であり、図３（Ｂ）は、注目画素を中心とした８近傍鮮鋭化フィルターのフィルター係数を示す図である。鮮鋭化処理では、登録文字の文字領域内の各画素に対して、これらのフィルター係数に基づくフィルター演算が実行される。
【００４７】
ファクシミリ送信処理部２４は、鮮鋭化処理部２３による鮮鋭化処理が実行された後の原稿の画像をファクシミリ送信する。具体的には、ファクシミリ送信処理部２４は、鮮鋭化処理部２３による鮮鋭化処理が実行された後の画像データからファクシミリ送信用画像データを生成し、そのファクシミリ送信用画像データを通信装置１３に供給して、その画像データの画像をファクシミリ送信する。
【００４８】
次に、上記ファクシミリ装置１のファクシミリ送信の動作について説明する。
【００４９】
図４は、図１に示すファクシミリ装置１のファクシミリ送信の動作について説明するフローチャートであり、図５は、図４における鮮鋭化処理（ステップＳ７）について説明するフローチャートである。
【００５０】
制御部２１は、操作パネル１４に対するユーザー操作に基づくファクシミリ送信の要求を受け付けると、まず、原稿画像の読み取りを画像読取装置１２に実行させる。画像読取装置１２は、原稿画像を読み取り、原稿画像データを出力する（ステップＳ１）。
【００５１】
なお、図示せぬホスト装置からファクシミリ送信の要求を受け付ける場合には、ステップＳ１の処理は不要である。
【００５２】
次に、制御部２１は、文字使用率特定部２２に、登録文字の使用率を特定させる。文字使用率特定部２２は、まず、登録文字データ３１を読み出し登録文字を特定し（ステップＳ２）、原稿画像データに対して文字認識処理を行い、原稿画像内の文字を検出し、検出された文字において、所定の登録文字を検索し、発見された登録文字の使用率を特定する（ステップＳ３）。なお、このとき、文字使用率特定部２２は、原稿画像データ内で発見された登録文字（の種類）を記憶するとともに、その登録文字（の種類）ごとに、原稿画像データ内で発見された登録文字の位置（つまり、文字領域）を示す位置データを記憶する。
【００５３】
制御部２１は、文字使用率特定部２２により少なくとも１つの登録文字が発見されたか否かを判定する（ステップＳ４）。
【００５４】
文字使用率特定部２２により１つの登録文字も発見されなかった場合、制御部２１は、ファクシミリ送信処理部２４に、その原稿画像データに基づく原稿画像をファクシミリ送信させる（ステップＳ５）。
【００５５】
一方、制御部２１は、文字使用率特定部２２により少なくとも１つの登録文字が発見された場合、原稿画像内で登録文字が発見された旨を示す警告メッセージを操作パネル１４に表示させる（ステップＳ６）。
【００５６】
ユーザーは、その警告メッセージを確認した後、鮮鋭化処理を実行させる場合には、鮮鋭化処理を実行させる操作を操作パネル１４に対して行う。
【００５７】
そのユーザー操作が操作パネル１４により検出されると、制御部２１は、その原稿画像データに対して鮮鋭化処理を鮮鋭化処理部２３に実行させる。鮮鋭化処理部２３は、図５に示す鮮鋭化処理を実行する（ステップＳ７）。
【００５８】
鮮鋭化処理では、鮮鋭化処理部２３は、発見された登録文字を１つ選択し（ステップＳ２１）、その登録文字について第２鮮鋭化処理を行うか否かを判定する（ステップＳ２２）。具体的には、その登録文字の使用率がその登録文字の第２閾値以上である場合には、第２鮮鋭化処理が実行され、その登録文字の使用率がその登録文字の第２閾値未満である場合には、第２鮮鋭化処理が実行されない。
【００５９】
鮮鋭化処理部２３は、その登録文字について第２鮮鋭化処理を行う場合、その登録文字が発見された位置の文字領域に対して８近傍鮮鋭化フィルターで第２鮮鋭化処理を行う（ステップＳ２３）。
【００６０】
一方、鮮鋭化処理部２３は、その登録文字について第２鮮鋭化処理を行わない場合、その登録文字について第１鮮鋭化処理を行うか否かを判定する（ステップＳ２４）。具体的には、その登録文字の使用率がその登録文字の第１閾値以上である場合には、第１鮮鋭化処理が実行され、その登録文字の使用率がその登録文字の第１閾値未満である場合には、第１鮮鋭化処理が実行されない。
【００６１】
鮮鋭化処理部２３は、その登録文字について第１鮮鋭化処理を行う場合、その登録文字が発見された位置の文字領域に対して４近傍鮮鋭化フィルターで第１鮮鋭化処理を行う（ステップＳ２５）。
【００６２】
このように、その登録文字の使用率がその登録文字の第１閾値未満である場合には、いずれの鮮鋭化処理も実行されず、その登録文字の使用率がその登録文字の第１閾値未満である場合には、第１または第２の鮮鋭化処理が実行される。
【００６３】
そして、鮮鋭化処理部２３は、発見された登録文字のすべてに対してこの処理を実行したか否かを判定し（ステップＳ２６）、発見された登録文字のうち、未処理の登録文字があれば、その未処理の登録文字を１つ選択し（ステップＳ２１）、同様に処理する。
【００６４】
このようにして、鮮鋭化処理（ステップＳ７）では、発見された登録文字のすべてに対してこの処理が実行される。
【００６５】
鮮鋭化処理が完了すると、制御部２１は、鮮鋭化処理後の原稿画像データに基づき、鮮鋭化処理後の原稿画像を操作パネル１４にプレビュー表示させる（ステップＳ８）。
【００６６】
ユーザーは、プレビュー表示された鮮鋭化処理後の原稿画像を確認し、その原稿画像をファクシミリ送信させる場合には、ファクシミリ送信を実行させる操作を操作パネル１４に対して行う。
【００６７】
そのユーザー操作が操作パネル１４により検出されると、制御部２１は、ファクシミリ送信処理部２４に、その鮮鋭化処理後の原稿画像データに基づく原稿画像をファクシミリ送信させる（ステップＳ５）。
【００６８】
以上のように、上記実施の形態によれば、文字使用率特定部２２は、ファクシミリ送信すべき原稿内で所定の登録文字を検索し、発見された登録文字の使用率を特定し、鮮鋭化処理部２３は、その原稿の画像において、発見された登録文字に対して、その使用率に基づいてその登録文字に対して鮮鋭化処理を行うか否かを判定し、鮮鋭化処理を行うと判定した登録文字に対して鮮鋭化処理を実行する。そして、ファクシミリ送信処理部２４は、鮮鋭化処理部２３による鮮鋭化処理が実行された後の原稿の画像をファクシミリ送信する。
【００６９】
これにより、特定の登録文字についてその使用率に応じて鮮鋭化処理が行われるため、ファクシミリの送信側で必要最小限の鮮鋭化処理が行われる。したがって、必要最小限の鮮鋭化処理を行って、ファクシミリの受信側での原稿画像からの文章の認識に支障が生じないようにすることができる。
【００７０】
なお、上述の実施の形態は、本発明の好適な例であるが、本発明は、これらに限定されるものではなく、本発明の要旨を逸脱しない範囲において、種々の変形、変更が可能である。
【００７１】
例えば、上記実施の形態において、制御部２１は、ユーザーにより指定された文字を登録文字データ３１に追加する登録処理部として機能するようにしてもよい。例えば、制御部２１は、操作パネル１４に対するユーザー操作で指定された文字を登録文字データ３１に登録する。このとき、ユーザーにより第１および第２閾値が入力され、制御部２１は、その文字の文字コードとともに、第１および第２閾値を登録文字データ３１に登録する。
【産業上の利用可能性】
【００７２】
本発明は、例えば、電話回線などを介して画像を送信するファクシミリ機能を有する装置に適用可能である。
【符号の説明】
【００７３】
１  ファクシミリ装置
１４  操作パネル（表示装置の一例）
１７  記憶装置
２１  制御部（登録処理部の一例，プレビュー処理部の一例）
２２  文字使用率特定部
２３  鮮鋭化処理部
２４  ファクシミリ送信処理部
３１  登録文字データ
【図１】
0005679953.tif 000002
【図２】
0005679953.tif 000003
【図３】
0005679953.tif 000004
【図４】
0005679953.tif 000005
【図５】
0005679953.tif 000006